(57)【要約】【課題】立ち上げ時間の増大を抑制するとともに、放電灯の寿命を十分に向上できる放電灯駆動装置、及びそのような放電灯駆動装置を用いた光源装置を提供する。また、そのような光源装置を用いたプロジェクターを提供する。また、立ち上げ時間の増大を抑制するとともに、放電灯の寿命を十分に抑制できる放電灯駆動方法を提供する。【解決手段】本発明の放電灯駆動装置の一つの態様は、放電灯を駆動する駆動電流を放電灯に供給する放電灯駆動部と、放電灯の劣化情報を記憶する記憶部と、放電灯駆動部を制御する制御部と、を備え、制御部は、放電灯の電極間に絶縁破壊が生じた時点から、放電灯が定常点灯状態に移行する時点までの移行期間において、記憶部に記憶された劣化情報に基づいた電流勾配で駆動電流を増大させるように、放電灯駆動部を制御することを特徴とする。【選択図】図７
2015106478.tif 000002
【特許請求の範囲】
【請求項１】
放電灯を駆動する駆動電流を前記放電灯に供給する放電灯駆動部と、
前記放電灯の劣化情報を記憶する記憶部と、
前記放電灯駆動部を制御する制御部と、
を備え、
前記制御部は、前記放電灯の電極間に絶縁破壊が生じた時点から、前記放電灯が定常点灯状態に移行する時点までの移行期間において、前記記憶部に記憶された前記劣化情報に基づいた電流勾配で前記駆動電流を増大させるように、前記放電灯駆動部を制御することを特徴とする放電灯駆動装置。
【請求項２】
前記制御部は、前記移行期間において、前記駆動電流を段階的に増大させるように前記放電灯駆動部を制御する、請求項１に記載の放電灯駆動装置。
【請求項３】
前記劣化情報は、前記放電灯の累積点灯時間を含み、
前記制御部は、前記移行期間において、前記累積点灯時間が長いほど、前記電流勾配が緩やかになるように前記放電灯駆動部を制御する、請求項１または２に記載の放電灯駆動装置。
【請求項４】
前記劣化情報は、前記定常点灯状態における前記放電灯の前記電極間に印加される電圧値を含み、
前記制御部は、前記移行期間において、前記電圧値が大きいほど、前記電流勾配が緩やかになるように前記放電灯駆動部を制御する、請求項１から３のいずれか一項に記載の放電灯駆動装置。
【請求項５】
光を射出する放電灯と、
請求項１から４のいずれか一項に記載の放電灯駆動装置と、
を備えることを特徴とする光源装置。
【請求項６】
請求項５に記載の光源装置と、
前記光源装置から射出される光を映像信号に応じて変調する光変調素子と、
前記光変調素子により変調された光を被投射面上に投射する投射光学系と、
を備えることを特徴とするプロジェクター。
【請求項７】
放電灯に駆動電流を供給して駆動させる放電灯駆動方法であって、
前記駆動電流を、前記放電灯の電極間に絶縁破壊が生じた後、前記放電灯が定常点灯状態に移行するまでの移行期間において、前記放電灯の劣化情報に基づいた勾配で増大するように制御することを特徴とする放電灯駆動方法。
【発明の詳細な説明】
【技術分野】
【０００１】
本発明は、放電灯駆動装置、光源装置、プロジェクター、及び放電灯駆動方法に関する。
【背景技術】
【０００２】
放電灯の寿命を向上させることを目的として、放電灯の立ち上げ時において放電灯に供給される駆動電流を制御する構成が提案されている（例えば、特許文献１）。
立ち上げ時における駆動電流の制御方法としては、例えば、初めは駆動電流を低く設定し、徐々に増大させていくような方法が知られている。このように駆動電流を制御することで、放電状態が不安定な段階における放電灯に供給されるエネルギーを低く抑えることができる。これにより、電極と管内壁との間で放電が生じたような場合であっても、管内壁の損傷を抑制することができる。
【先行技術文献】
【特許文献】
【０００３】
【特許文献１】特開２０１１−２３２４６号公報
【発明の概要】
【発明が解決しようとする課題】
【０００４】
しかし、上記のような方法では、放電灯の劣化に対して対応できず、放電灯の寿命を十分に向上できない場合があった。すなわち、放電灯が、例えば、経時等によって劣化すると、立ち上げ時における放電状態が安定するまでの時間は長くなるため、放電状態が不安定な段階で駆動電流の電流値が高くなってしまう場合があった。これにより、放電灯の管内壁に失透等の損傷が生じ、放電灯の寿命を十分に向上できない場合があった。
【０００５】
一方、立ち上げ時における放電灯に供給される駆動電流の電流勾配を、放電灯の劣化に対応できるように、初期の段階から十分緩やかに設定すれば、放電灯が劣化した場合においても、放電灯が損傷することを抑制できる。しかし、この方法では、初期の段階から放電灯の立ち上げに要する時間が増大してしまうという問題があった。
【０００６】
本発明の一つの態様は、上記問題点に鑑みて成されたものであって、立ち上げ時間の増大を抑制するとともに、放電灯の寿命を十分に向上できる放電灯駆動装置、及びそのような放電灯駆動装置を用いた光源装置を提供することを目的の一つとする。また、そのような光源装置を用いたプロジェクターを提供することを目的の一つとする。また、立ち上げ時間の増大を抑制するとともに、放電灯の寿命を十分に抑制できる放電灯駆動方法を提供することを目的とする。
【課題を解決するための手段】
【０００７】
本発明の放電灯駆動装置の一つの態様は、放電灯を駆動する駆動電流を前記放電灯に供給する放電灯駆動部と、前記放電灯の劣化情報を記憶する記憶部と、前記放電灯駆動部を制御する制御部と、を備え、前記制御部は、前記放電灯の電極間に絶縁破壊が生じた時点から、前記放電灯が定常点灯状態に移行する時点までの移行期間において、前記記憶部に記憶された前記劣化情報に基づいた電流勾配で前記駆動電流を増大させるように、前記放電灯駆動部を制御することを特徴とする。
【０００８】
本発明の放電灯駆動装置の一つの態様によれば、移行期間において、劣化情報に基づいた電流勾配で駆動電流が供給される。これにより、放電灯の劣化の状態に応じて、駆動電流の電流勾配を制御できるため、立ち上げ時間の増大を抑制しつつ、放電灯の損傷を抑制することができる。したがって、本発明の放電灯駆動装置の一つの態様によれば、立ち上げ時間の増大を抑制しつつ、放電灯の寿命を十分に向上できる放電灯駆動装置が得られる。
【０００９】
前記制御部は、前記移行期間において、前記駆動電流を段階的に増大させるように前記放電灯駆動部を制御する構成としてもよい。
この構成によれば、駆動電流が段階的に増大するように制御されるため、制御が簡便である。
【００１０】
前記劣化情報は、前記放電灯の累積点灯時間を含み、前記制御部は、前記移行期間において、前記累積点灯時間が長いほど、前記電流勾配が緩やかになるように前記放電灯駆動部を制御する構成としてもよい。
この構成によれば、累積点灯時間によって、放電灯の劣化状態を把握できる。
【００１１】
前記劣化情報は、前記定常点灯状態における前記放電灯の前記電極間に印加される電圧値を含み、前記制御部は、前記移行期間において、前記電圧値が大きいほど、前記電流勾配が緩やかになるように前記放電灯駆動部を制御する構成としてもよい。
この構成によれば、放電灯の実使用時間とは無関係に、電極間が広がってしまったような場合であっても、放電灯の劣化状態について把握できる。
【００１２】
本発明の光源装置の一つの態様は、光を射出する放電灯と、上記の放電灯駆動装置と、を備えることを特徴とする。
【００１３】
本発明の光源装置の一つの態様によれば、上記の放電灯駆動装置を備えているため、立ち上げ時間の増大を抑制しつつ、放電灯の寿命を十分に向上できる光源装置が得られる。
【００１４】
本発明のプロジェクターの一つの態様は、上記の光源装置と、前記光源装置から射出される光を映像信号に応じて変調する光変調素子と、前記光変調素子により変調された光を被投射面上に投射する投射光学系と、を備えることを特徴とする。
【００１５】
本発明のプロジェクターの一つの態様によれば、上記の光源装置を備えているため、立ち上げ時間の増大を抑制しつつ、放電灯の寿命を十分に向上できるプロジェクターが得られる。
【００１６】
本発明の放電灯駆動方法の一つの態様は、放電灯に駆動電流を供給して駆動させる放電灯駆動方法であって、前記駆動電流を、前記放電灯の電極間に絶縁破壊が生じた後、前記放電灯が定常点灯状態に移行するまでの移行期間において、前記放電灯の劣化情報に基づいた勾配で増大するように制御することを特徴とする。
【００１７】
本発明の放電灯駆動方法の一つの態様によれば、上記と同様にして、立ち上げ時間の増大を抑制しつつ、放電灯の寿命を十分に向上できる。
【図面の簡単な説明】
【００１８】
【図１】本実施形態のプロジェクターの概略構成図である。
【図２】本実施形態における放電灯を示す図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６】放電灯に供給する駆動電流の極性と電極の温度との関係を説明するための説明図である。
【図７】本実施形態のプロジェクターにおける放電灯の点灯動作を説明するための説明図である。
【図８】放電灯の内部の放電状態を示す図である。
【図９】本実施形態の制御部による移行期間における放電灯駆動部の制御の一例を示すフローチャートである。
【発明を実施するための形態】
【００１９】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２０】
図１に示すように、本実施形態のプロジェクター５００は、光源装置２００と、平行化レンズ３０５と、照明光学系３１０と、色分離光学系３２０と、３つの液晶ライトバルブ（光変調素子）３３０Ｒ，３３０Ｇ，３３０Ｂと、クロスダイクロイックプリズム３４０と、投射光学系３５０と、を備えている。
【００２１】
光源装置２００から射出された光は、平行化レンズ３０５を通過して照明光学系３１０に入射する。平行化レンズ３０５は、光源装置２００からの光を平行化する機能を有する。
【００２２】
照明光学系３１０は、光源装置２００から射出される光の照度を、液晶ライトバルブ３３０Ｒ，３３０Ｇ，３３０Ｂ上において均一化するように調整する機能を有する。照明光学系３１０は、光源装置２００から射出される光の偏光方向を一方向に揃える機能も有する。その理由は、光源装置２００から射出される光を液晶ライトバルブ３３０Ｒ，３３０Ｇ，３３０Ｂで有効に利用するためである。
【００２３】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色に対応付けられた液晶ライトバルブ３３０Ｒ，３３０Ｇ，３３０Ｂによりそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側及び光射出側に配置される。
【００２４】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０及び投射光学系３５０の各々の構成としては、周知の種々の構成を採用することができる。
【００２５】
図２は、光源装置２００の構成を示す図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡５０と、を備えている。
【００２６】
放電灯点灯装置１０は、放電灯９０に駆動電流（駆動電力）を供給して放電灯９０を点灯させる。主反射鏡１１２は、放電灯９０から放出された光を照射方向Ｄに向けて反射する。照射方向Ｄは、放電灯９０の光軸ＡＸと平行である。
【００２７】
放電灯９０の形状は、照射方向Ｄに沿って延びる棒状である。放電灯９０の一方の端部（図示左側の端部）を第１端部９０ｅ１とし、放電灯９０の他方の端部（図示右側の端部）を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００２８】
放電空間９１には、第１電極９２及び第２電極９３の先端が突出している。第１電極９２は、放電空間９１の第１端部９０ｅ１側に配置されている。第２電極９３は、放電空間９１の第２端部９０ｅ２側に配置されている。第１電極９２及び第２電極９３の形状は、光軸ＡＸに沿って延びる棒状である。放電空間９１には、第１電極９２及び第２電極９３の電極先端部が、所定距離だけ離れて対向するように配置されている。第１電極９２及び第２電極９３の材料は、例えば、タングステン等の金属である。
【００２９】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６及び第２端子５４６の材料は、例えば、タングステン等の金属である。導電性部材５３４，５４４の材料としては、例えば、モリブデン箔が利用される。
【００３０】
第１端子５３６及び第２端子５４６は、放電灯点灯装置１０に接続されている。放電灯点灯装置１０は、第１端子５３６及び第２端子５４６に、放電灯９０を駆動するための駆動電流を供給する。その結果、第１電極９２及び第２電極９３の間でアーク放電が起きる。アーク放電により発生した光（放電光）は、破線の矢印で示すように、放電位置から全方向に向かって放射される。
【００３１】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３２】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００３３】
固定部材１１４，５２２の材料は、放電灯９０からの発熱に耐え得る耐熱材料である範囲内において、特に限定されず、例えば、無機接着剤である。主反射鏡１１２及び副反射鏡５０と放電灯９０との配置を固定する方法としては、主反射鏡１１２及び副反射鏡５０を放電灯９０に固定する方法に限らず、任意の方法を採用できる。例えば、放電灯９０と主反射鏡１１２とを、独立にプロジェクターの筐体（図示せず）に固定してもよい。副反射鏡５０についても同様である。
【００３４】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Ｃｅｎｔｒａｌ Ｐｒｏｃｅｓｓｉｎｇ Ｕｎｉｔ）５８０と、を備えている。
【００３５】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００３６】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００３７】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０及びトランスの１次側にある放電灯点灯装置１０に直流電圧を供給する。
【００３８】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００３９】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４０】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００４１】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、記憶部４４と、動作検出部６０と、イグナイター回路７０と、を備えている。
【００４２】
電力制御回路２０は、放電灯９０に供給する駆動電力を生成する。本実施形態においては、電力制御回路２０は、直流電源装置８０からの電圧を入力とし、その入力電圧を降圧して直流電流Ｉｄを出力するダウンチョッパー回路で構成されている。
【００４３】
電力制御回路２０は、スイッチ素子２１、ダイオード２２、コイル２３及びコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子及びコイル２３の一端に接続されている。
【００４４】
コイル２３の他端にコンデンサー２４の一端が接続され、コンデンサー２４の他端はダイオード２２のアノード端子及び直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Ｐｕｌｓｅ  Ｗｉｄｔｈ  Ｍｏｄｕｌａｔｉｏｎ）制御信号が用いられてもよい。
【００４５】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４６】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００４７】
極性反転回路３０は、例えば、トランジスターなどで構成される第１のスイッチ素子３１、第２のスイッチ素子３２、第３のスイッチ素子３３、及び第４のスイッチ素子３４を含んでいる。極性反転回路３０は、直列接続された第１のスイッチ素子３１及び第２のスイッチ素子３２と、直列接続された第３のスイッチ素子３３及び第４のスイッチ素子３４と、が互いに並列接続された構成を有する。第１のスイッチ素子３１、第２のスイッチ素子３２、第３のスイッチ素子３３、及び第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３及び第４のスイッチ素子３４のＯＮ／ＯＦＦ動作が制御される。
【００４８】
極性反転回路３０においては、第１のスイッチ素子３１及び第４のスイッチ素子３４と、第２のスイッチ素子３２及び第３のスイッチ素子３３と、を交互にＯＮ／ＯＦＦさせる動作が繰り返される。これにより、電力制御回路２０から出力される直流電流Ｉｄの極性が交互に反転する。第１のスイッチ素子３１と第２のスイッチ素子３２との共通接続点、及び第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００４９】
すなわち、極性反転回路３０では、第１のスイッチ素子３１及び第４のスイッチ素子３４がＯＮのときには第２のスイッチ素子３２及び第３のスイッチ素子３３がＯＦＦであり、第１のスイッチ素子３１及び第４のスイッチ素子３４がＯＦＦのときには第２のスイッチ素子３２及び第３のスイッチ素子３３がＯＮであるように制御される。したがって、第１のスイッチ素子３１及び第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２及び第３のスイッチ素子３３がＯＮのときには、コンデンサー２４の一端から第３のスイッチ素子３３、放電灯９０、第２のスイッチ素子３２の順に流れる駆動電流Ｉが発生する。
【００５０】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５１】
制御部４０は、放電灯駆動部２３０を制御する。図４の例では、制御部４０は、電力制御回路２０及び極性反転回路３０を制御することにより、駆動電流Ｉが同一極性を継続する保持時間、駆動電流Ｉの電流値、周波数等を制御する。詳細については後述する。
【００５２】
制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。また、制御部４０は、電力制御回路２０に対して、出力される直流電流Ｉｄの電流値を制御する電流制御を行う。
【００５３】
制御部４０の構成は、特に限定されない。本実施形態においては、制御部４０は、システムコントローラー４１、電力制御回路コントローラー４２、及び極性反転回路コントローラー４３を含んで構成されている。なお、制御部４０は、その一部または全てを半導体集積回路で構成してもよい。
【００５４】
システムコントローラー４１は、電力制御回路コントローラー４２及び極性反転回路コントローラー４３を制御することにより、電力制御回路２０及び極性反転回路３０を制御する。システムコントローラー４１は、動作検出部６０が検出したランプ電圧及び駆動電流Ｉに基づき、電力制御回路コントローラー４２及び極性反転回路コントローラー４３を制御してもよい。
【００５５】
本実施形態においては、システムコントローラー４１には、記憶部４４が接続されている。
システムコントローラー４１は、記憶部４４に格納された情報に基づき、電力制御回路２０及び極性反転回路３０を制御する。記憶部４４には、例えば、駆動電流Ｉが同一極性で継続する保持時間、駆動電流Ｉの電流値、周波数、波形、変調パターン等の駆動パラメーターに関する情報が格納されている。
【００５６】
また、記憶部４４には、放電灯９０の劣化情報、及び劣化情報に応じた立ち上げシーケンスに関する情報が格納されている。劣化情報は、放電灯９０の劣化状態を示す情報である。劣化情報としては、放電灯９０の劣化状態を把握できる範囲内において、特に限定されず、例えば、放電灯９０の累積点灯時間や、定常点灯状態における放電灯９０の電極間に印加されるランプ電圧値等である。また、劣化情報としては、例えば、瞬間的なランプ電圧値だけでなく、所定時間におけるランプ電圧値の平均値や、時間当たりのランプ電圧値の変化率でもよい。
【００５７】
なお、本明細書において「劣化状態」とは、性能が低下した状態のみを意味するものではなく、性能の向上・低下に関わらず、初期状態に対して変化した状態を意味するものである。すなわち、「劣化情報」とは、放電灯９０の初期状態に対する変化を示すあらゆる情報を含む。
【００５８】
劣化情報は、放電灯９０の立ち上げ時において、システムコントローラー４１によって参照される。システムコントローラー４１は、記憶部４４の劣化情報に応じて、立ち上げシーケンスを選択し、駆動電流Ｉを制御する。劣化情報は、例えば、放電灯９０を消灯する直前において、その都度更新されて、記憶部４４に記憶される。
【００５９】
累積点灯時間は、放電灯９０を点灯させた時間の累積時間である。累積点灯時間は、放電灯９０の実使用時間を示す情報であるため、累積点灯時間を劣化情報として用いることで、放電灯９０の劣化状態について把握できる。
【００６０】
定常点灯状態のランプ電圧値は、放電灯９０の劣化と共に、第１電極９２と第２電極９３とが変形して広がり、上昇する傾向がある。そのため、定常点灯状態のランプ電圧値を劣化情報として用いることにより、放電灯９０の劣化状態について把握できる。劣化情報として、ランプ電圧値を用いる場合においては、例えば、放電灯の実使用時間とは無関係に、電極間が広がってしまったような場合であっても、放電灯９０の劣化状態について把握できる。
【００６１】
立ち上げシーケンスに関する情報は、後述する移行期間Ｐにおいて、放電灯９０の電極間に供給される駆動電流Ｉの電流勾配の情報を含んでいる。立ち上げシーケンスに関する情報は、例えば、プロジェクター５００の出荷前に、予め記憶部４４に格納されていてもよいし、出荷後に外部機器等を介して、格納されてもよい。
【００６２】
本実施形態において、電流勾配とは、駆動電流Ｉが直線的に増加する場合の傾きのみを意味するものではなく、駆動電流Ｉが段階的に増加していくような場合の、駆動電流Ｉの増加割合等も意味する。すなわち、電流勾配の情報とは、移行期間Ｐにおける駆動電流Ｉの増加に関するすべての情報を含む。すなわち、例えば、本実施形態においては、後述するように、移行期間Ｐにおいて段階的に駆動電流Ｉを増大させて放電灯９０を定常点灯状態へと移行させる構成であるため、駆動電流Ｉの電流勾配の情報とは、前後の段階における駆動電流Ｉの電流値の差と、次の段階の電流値に移行するまでの時間とである。
【００６３】
電力制御回路コントローラー４２は、システムコントローラー４１からの制御信号に基づき、電力制御回路２０へ電流制御信号を出力することにより、電力制御回路２０を制御する。
【００６４】
極性反転回路コントローラー４３は、システムコントローラー４１からの制御信号に基づき、極性反転回路３０へ極性反転制御信号を出力することにより、極性反転回路３０を制御する。
【００６５】
制御部４０は、専用回路を用いて実現され、上述した制御や後述する処理の各種制御を行うようにすることができる。制御部４０は、例えば、ＣＰＵが記憶部４４に記憶された制御プログラムを実行することによりコンピューターとして機能し、これらの処理の各種制御を行うようにすることもできる。
【００６６】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００６７】
図４に示した例では、制御部４０は、放電灯点灯装置１０の一部として構成されている。これに対して、制御部４０の機能の一部をＣＰＵ５８０が担うように構成されていてもよい。
【００６８】
動作検出部６０は、例えば、放電灯９０のランプ電圧を検出し、制御部４０に駆動電圧情報を出力する電圧検出部、駆動電流Ｉを検出し、制御部４０に駆動電流情報を出力する電流検出部などを含んでいてもよい。本実施形態においては、動作検出部６０は、第１の抵抗６１、第２の抵抗６２及び第３の抵抗６３を含んで構成されている。
【００６９】
本実施形態において、電圧検出部は、放電灯９０と並列に、互いに直列接続された第１の抵抗６１及び第２の抵抗６２で分圧した電圧によりランプ電圧を検出する。また、本実施形態において、電流検出部は、放電灯９０に直列に接続された第３の抵抗６３に発生する電圧により駆動電流Ｉを検出する。
【００７０】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を放電灯９０の電極間（第１電極９２と第２電極９３との間）に供給する。本実施形態においては、イグナイター回路７０は、放電灯９０と並列に接続されている。
【００７１】
以下、駆動電流Ｉの極性と電極の温度との関係について説明する。
図６（Ａ）〜図６（Ｄ）は、放電灯９０に供給する駆動電流Ｉの極性と電極の温度との関係を示す説明図である。図６（Ａ）及び図６（Ｂ）は、第１電極９２及び第２電極９３の動作状態を示している。これらの図には、第１電極９２及び第２電極９３の先端部分が示されている。第１電極９２及び第２電極９３の先端にはそれぞれ突起５５２ｐ，５６２ｐが形成されている。第１電極９２と第２電極９３との間で生じる放電は、主として突起５５２ｐと突起５６２ｐとの間で生じる。本実施形態のように突起５５２ｐ，５６２ｐがある場合には、突起が無い場合と比べて、第１電極９２及び第２電極９３における放電位置（アーク輝点の位置）の移動を抑えることができる。
【００７２】
図６（Ａ）は、第１電極９２が陽極として動作し、第２電極９３が陰極として動作する第１極性状態Ｐ１を示している。第１極性状態Ｐ１では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７３】
図６（Ｂ）は、第１電極９２が陰極として動作し、第２電極９３が陽極として動作する第２極性状態Ｐ２を示している。第２極性状態Ｐ２では、第１極性状態Ｐ１とは逆に、第１電極９２から第２電極９３へ電子が移動する。その結果、第２電極９３の先端（突起５６２ｐ）の温度が上昇する。
このように、電子が衝突する陽極の温度は、電子を放出する陰極の温度と比べて高くなりやすい。
【００７４】
図６（Ｃ）は、放電灯９０に供給される駆動電流Ｉの一例を示すタイミングチャートである。横軸は時間Ｔを示し、縦軸は駆動電流Ｉの電流値を示している。駆動電流Ｉは、放電灯９０を流れる電流を示す。正値は第１極性状態Ｐ１を示し、負値は第２極性状態Ｐ２を示す。
【００７５】
本実施形態においては、図６（Ｃ）に示すように、例えば、駆動電流Ｉとして矩形波交流電流が利用されている。本実施形態においては、第１極性状態Ｐ１と第２極性状態Ｐ２とが交互に繰り返されるように、駆動電流Ｉが放電灯９０に供給される。ここで、第１極性区間Ｔｐは、第１極性状態Ｐ１が続く時間を示し、第２極性区間Ｔｎは、第２極性状態Ｐ２が続く時間を示す。
【００７６】
図６（Ｃ）に示す例では、第１極性区間Ｔｐの平均電流値はＩｍ１であり、第２極性区間Ｔｎの平均電流値は−Ｉｍ２である。放電灯９０の駆動に適した駆動電流Ｉの駆動周波数は、放電灯９０の特性に合わせて実験的に決定することができる。他の値Ｉｍ１、−Ｉｍ２、Ｔｐ、Ｔｎも、同様に実験的に決定することができる。
【００７７】
図６（Ｄ）は、第１電極９２の温度変化を示すタイミングチャートである。横軸は時間Ｔを示し、縦軸は温度Ｈを示している。第１極性状態Ｐ１では、第１電極９２の温度Ｈが上昇し、第２極性状態Ｐ２では、第１電極９２の温度Ｈが低下する。第１極性状態Ｐ１と第２極性状態Ｐ２が繰り返されるので、温度Ｈは最小値Ｈｍｉｎと最大値Ｈｍａｘとの間で周期的に変化する。図示は省略するが、第２電極９３の温度は、第１電極９２の温度Ｈとは逆位相で変化する。すなわち、第１極性状態Ｐ１では、第２電極９３の温度が低下し、第２極性状態Ｐ２では、第２電極９３の温度が上昇する。
【００７８】
次に、本実施形態におけるプロジェクター５００の放電灯９０の点灯動作について説明する。
図７（Ａ）は、本実施形態のプロジェクター５００における放電灯９０の点灯動作を説明するための図であって、放電灯駆動部２３０から放電灯９０に供給される駆動電流Ｉを模式的に示す図である。図７（Ａ）において、縦軸は、駆動電流Ｉの電流値を示しており、横軸は、時間Ｔを示している。
【００７９】
図７（Ｂ）は、放電灯９０の電極間の放電状態の変化を説明するための図であって、図７（Ａ）と合わせて、電極間の放電状態と、放電灯９０に供給される駆動電流Ｉとの対応関係を示している。図７（Ｂ）において、横軸は、時間Ｔを示している。
【００８０】
本実施形態のプロジェクター５００においては、図７（Ａ）に示すように、絶縁破壊期間Ｐｏ、移行期間Ｐａ、移行期間Ｐｂ、移行期間Ｐｃ、及び移行期間Ｐｄを経て、定常点灯状態へと移行する。本実施形態においては、移行期間Ｐａから移行期間Ｐｄまでを合わせて、移行期間Ｐとする。移行期間Ｐは、立ち上げシーケンスに相当する。
【００８１】
絶縁破壊期間Ｐｏは、放電灯９０の第１電極９２と第２電極９３との間に、高電圧を印加して絶縁破壊を生じさせるための期間である。絶縁破壊期間Ｐｏにおいては、放電灯９０内に放電が生じていないため、放電灯９０の電極間に駆動電流Ｉは流れない。絶縁破壊期間Ｐｏは、絶縁破壊が生じた時点ＴＳで終了し、移行期間Ｐへと推移する。絶縁破壊が生じた時点ＴＳは、絶縁破壊期間Ｐｏと移行期間Ｐａとの境界点である。
放電灯９０の電極間に絶縁破壊が生じると、第１電極９２と第２電極９３との間にグロー放電が生じ、電極間に駆動電流Ｉが流れるようになる。
【００８２】
移行期間Ｐは、絶縁破壊が生じた時点ＴＳから、定常点灯状態に移行する時点ＴＥまでの期間である。
各移行期間Ｐａ，Ｐｂ，Ｐｃ，Ｐｄにおいて供給される駆動電流Ｉの値は、移行期間毎に一定であり、移行期間が推移していくにつれて段階的に大きくなるように設定されている。すなわち、移行期間Ｐａ、移行期間Ｐｂ、移行期間Ｐｃ、移行期間Ｐｄの順で、放電灯９０に供給される電流値は段階的に増大していく。各移行期間Ｐａ，Ｐｂ，Ｐｃ，Ｐｄにおける隣り合う期間の駆動電流Ｉの値の差、及び各期間の長さｔ１，ｔ２，ｔ３，ｔ４は、上述した記憶部４４に格納された立ち上げシーケンスに関する情報、より詳細には電流勾配の情報であり、それぞれ記憶部４４に記憶されている劣化情報に応じて決定される。
【００８３】
本実施形態において、設定される立ち上げシーケンスの数は、特に限定されない。例えば、立ち上げシーケンスが３つ設定され、劣化情報を累積点灯時間とした場合における一例を示すと、累積点灯時間が１０００時間未満である場合には、初期シーケンスとし、累積点灯時間が１０００時間以上、２０００時間未満である場合には、第２期シーケンスとし、累積点灯時間が２０００時間以上である場合には、第３期シーケンスとするように設定することができる。このような場合においては、初期シーケンスから第３期シーケンスへと向かうにしたがって、電流勾配は緩やかに設定される。言い換えると、累積点灯時間が長いほど、電流勾配が緩やかになるように設定される。
【００８４】
すなわち、例えば、記憶部４４に劣化情報として放電灯９０の累積点灯時間が格納されている場合では、累積点灯時間が長いほど、移行期間Ｐａや、移行期間Ｐｂのような駆動電流Ｉの値が比較的低い期間の長さが大きくなるように、立ち上げシーケンスが設定される。このように設定されることで、放電灯９０が劣化し、放電状態が安定するまでの時間が長くなった場合でも、放電状態が不安定な段階で、駆動電流Ｉの電流値が高くなることを抑制できる。
【００８５】
また、例えば、劣化情報を定常点灯状態におけるランプ電圧値とした場合では、放電灯９０の劣化に伴ってランプ電圧値が大きくなるほど、電流勾配が緩くなるように設定される。
【００８６】
本実施形態においては、例えば、移行期間Ｐａの長さｔ１は、放電灯９０の内部の放電状態が移り変わる時間との関係によって決定される。
放電灯９０の内部の放電状態は、図７（Ｂ）に示すように、絶縁破壊が生じて未放電状態Ｄ０から放電状態へと推移した後、グロー放電状態Ｄ１、混在状態Ｄ２、アーク放電状態Ｄ３の順で推移する。すなわち、放電灯９０内における放電は、電極が加熱されるのに伴ってグロー放電からアーク放電へと移行していく。その移行する過程において、放電灯９０内でグロー放電とアーク放電とが混在する混在状態Ｄ２が生じる。
【００８７】
図８は、混在状態Ｄ２における放電灯９０内の放電状態を示す模式図である。
図８に示すように、混在状態Ｄ２においては、第１電極９２及び第２電極９３間にグロー放電ＧＤとアーク放電ＡＤとが混在する。混在状態Ｄ２においては、アーク放電ＡＤは、放電管９０ａの管内壁９０ｂと距離が近い第１電極９２及び第２電極９３の後端部と、管内壁９０ｂとの間で発生しやすい。各電極と管内壁９０ｂとの間で、アーク放電ＡＤが生じている際に、駆動電流Ｉの電流値が大きいと、管内壁９０ｂが高熱となり、失透等、放電灯９０の内部に損傷が生じてしまう。
【００８８】
したがって、少なくとも、混在状態Ｄ２では、駆動電流Ｉを増大させない方が好ましい。すなわち、移行期間Ｐａの長さｔ１を、少なくとも、放電灯９０の内部における放電状態が、グロー放電状態Ｄ１から、アーク放電状態Ｄ３へと移行するまでの長さ以上に設定することで、放電灯９０の内部の損傷を抑制できる。
【００８９】
各電極と管内壁９０ｂとの間のアーク放電ＡＤは、電極先端部の温度が十分に高くなることによって、生じなくなる。そのため、移行期間Ｐｂ，Ｐｃ，Ｐｄの長さｔ２，ｔ３，ｔ４は、効率よく電極先端部を加熱できるように設定されることが好ましい。
【００９０】
なお、図７（Ａ）において混在状態Ｄ２における駆動電流Ｉがプラスマイナスの両極性対称で記載されているが、実際にはアーク放電が安定していない状態であるため、一方の極性に偏った波形となることが多い。
【００９１】
次に、制御部４０による放電灯駆動部２３０の制御手順について説明する。
図９は、制御部４０による移行期間Ｐにおける放電灯駆動部２３０の制御の一例を示すフローチャートである。図９におけるフローチャートの開始点は、絶縁破壊が生じた時点ＴＳ、すなわち、移行期間Ｐの開始点であるものとする。
【００９２】
まず、制御部４０は、図９に示すように、記憶部４４に劣化情報が記憶されているかどうか判定する（ステップＳ１）。本実施形態においては、劣化情報として、放電灯９０の累積点灯時間を用いる場合について説明する。
【００９３】
ここで、本実施形態では、もし、過去に点灯動作が行われていれば、記憶部４４に放電灯９０の累積点灯時間が記憶されている。この累積点灯時間が記憶部４４に記憶されていれば（ステップＳ１；ＹＥＳ）、制御部４０は、その記憶された累積点灯時間に対応させて立ち上げシーケンスを設定する（ステップＳ２）。これにより、移行期間Ｐにおける駆動電流Ｉの電流値や、各移行期間Ｐａ，Ｐｂ，Ｐｃ，Ｐｄの長さｔ１，ｔ２，ｔ３，ｔ４が決定される。
【００９４】
ここでは、過去に点灯動作は行われていないものとし、制御部４０が備える記憶部４４には放電灯９０の累積点灯時間は記憶されていないものとする（ステップＳ１；ＮＯ）。
制御部４０は、記憶部４４に累積点灯時間（劣化情報）が記憶されていなければ（ステップＳ１；ＮＯ）、放電灯９０の立ち上げシーケンスとして初期シーケンスを設定する（ステップＳ３）。初期シーケンスは、放電灯９０が劣化を起こしていない場合において、最適な立ち上げが可能となるように、各移行期間Ｐａ，Ｐｂ，Ｐｃ，Ｐｄが設定されるシーケンスである。
【００９５】
次に、立ち上げシーケンスが設定されると、設定されたシーケンスにおける初期移行期間である移行期間Ｐａの周波数と電流値とを設定する（ステップＳ４）。
次に、制御部４０は、現在の移行期間が開始してからの動作時間を計測し（ステップＳ５）、この動作時間が規定の動作時間を経過したかどうかを判定する（ステップＳ６）。ここで、規定の動作時間を経過していない場合（ステップＳ６；ＮＯ）、制御部４０は、処理動作を上述のステップＳ５に戻し、規定の動作時間が経過するまで、同様のステップを繰り返し実行する。ここで、規定の動作時間とは、すなわち、各移行期間Ｐａ，Ｐｂ，Ｐｃ，Ｐｄの長さｔ１，ｔ２，ｔ３，ｔ４である。
【００９６】
規定の動作時間が経過した場合（ステップＳ６；ＹＥＳ）には、制御部４０は、設定されたシーケンスにおける全移行期間が終了したかどうかを判定する（ステップＳ７）。ここで、設定されたシーケンスにおける全移行期間が終了していない場合（ステップＳ７；ＮＯ）、設定されたシーケンスにおける次の移行期間、ここでは、移行期間Ｐｂにおける周波数及び電流値が設定され（ステップＳ８）、上述したステップＳ５に戻す。そして、設定されたシーケンスの全移行期間が終了するまで、同様にしてステップＳ５からステップＳ７までを繰り返す。すなわち、本実施形態の例では、移行期間Ｐｄが終了するまでステップＳ５からステップＳ７までを繰り返す。
【００９７】
設定されたシーケンスの全移行期間が終了すると（ステップＳ７；ＹＥＳ）、制御部４０は、駆動電流Ｉの周波数及び電流値として、放電灯９０の定常点灯状態の周波数と電流値とを設定する（ステップＳ９）。
【００９８】
上記の制御部４０による放電灯駆動部２３０の制御は、放電灯点灯方法（放電灯駆動方法）として表現することもできる。すなわち、本実施形態の放電灯点灯方法は、駆動電流Ｉを、放電灯９０の電極間に絶縁破壊が生じた時点ＴＳから、放電灯９０が定常点灯状態に移行する時点ＴＥまでの移行期間Ｐにおいて、放電灯９０の劣化情報に基づいた電流勾配で増大するように制御することを特徴とする。
【００９９】
本実施形態によれば、移行期間Ｐにおいて、記憶部４４に記憶された劣化情報に基づいた電流勾配で駆動電流Ｉが増大するように、放電灯駆動部２３０が制御されるため、立ち上げ時間の増大を抑制しつつ、放電灯９０の寿命を十分に向上させることができる。以下、詳細に説明する。
【０１００】
放電灯は、劣化が生じると、電極間が広がり、電極先端が加熱されにくくなる。放電灯の内部における放電現象は電極先端が十分に加熱されることで安定するため、放電灯が劣化すると、放電現象が安定するまでの時間が長くなる。これにより、放電灯の内部の放電現象が不安定な状態、すなわち、電極と管内壁との間でアーク放電が生じているような状態において、駆動電流Ｉの電流が大きくなってしまう場合が生じる。したがって、管内壁が加熱されることによって失透等の、放電灯の損傷が生じ、結果として、放電灯の寿命が低下してしまう場合があった。
【０１０１】
一方、放電灯が劣化していない初期の段階から、移行期間における駆動電流Ｉの電流勾配が十分に緩やかとなるように設定すれば、放電灯が劣化した場合であっても、放電灯の損傷を抑制することができる。しかし、その場合では、放電灯が劣化していない初期の段階から、移行期間を必要以上に長く設定することとなるため、放電灯の立ち上げ時間が増大してしまうという問題があった。また、駆動電流Ｉの電流値が低い状態を長く続けることで、放電が立ち消えてしまうリスクもあった。
【０１０２】
この問題に対して、本実施形態によれば、制御部４０は、放電灯９０の累積点灯時間や、定常点灯状態におけるランプ電圧値等を、劣化情報として記憶部４４に記憶し、その劣化情報に基づいた電流勾配で駆動電流Ｉが放電灯９０に供給されるように、放電灯駆動部２３０を制御する。そのため、本実施形態によれば、放電灯９０の劣化状態に合わせて、移行期間Ｐにおける駆動電流Ｉの電流勾配が設定される。その結果、立ち上げ時間の増大を抑制しつつ、放電灯９０に損傷が生じることを抑制できる。また、放電が立ち消えてしまうリスクも抑制できる。したがって、本実施形態によれば、立ち上げ時間の増大を抑制するとともに、放電灯の寿命を十分に向上できる放電灯駆動装置が得られる。
【０１０３】
また、本実施形態によれば、移行期間Ｐの各移行期間Ｐａ，Ｐｂ，Ｐｃ，Ｐｄにおいて、段階的に駆動電流Ｉの電流値が増大するように設定されているため、駆動電流Ｉの制御が簡便である。
【０１０４】
また、本実施形態によれば、上述した放電灯点灯装置１０を備えているため、放電灯９０の寿命を向上できる光源装置、及びプロジェクターが得られる。
【０１０５】
なお、本実施形態においては、以下の構成を採用してもよい。
【０１０６】
本実施形態においては、劣化情報が記憶部４４に記憶されるタイミングは、放電灯９０が消灯される直前でなくてもよい。本実施形態においては、例えば、劣化情報として定常点灯状態におけるランプ電圧値を用いる場合には、放電灯９０が定常点灯状態になってから所定の時間毎にランプ電圧値を記憶部４４に更新して記憶するような構成としてもよい。
【０１０７】
また、本実施形態においては、劣化情報として、２つ以上の情報を組み合わせて用いてもよい。本実施形態においては、例えば、劣化情報として、放電灯９０の累積点灯時間と、定常点灯状態におけるランプ電圧値とを組み合わせて、それぞれの値から、最適な立ち上げシーケンスを決定するような構成としてもよい。
【０１０８】
また、本実施形態において劣化情報として、放電灯９０の累積点灯時間を用いる場合には、点灯モード毎に別々に記憶部４４に記憶するような構成としてもよい。例えば、点灯モードとして、放電灯９０に供給する電力を低くする低電力モード（エコモード）を用いる場合には、通常の点灯モードに比べて、放電灯９０は劣化しにくい。そのため、通常の点灯モードによる累積点灯時間と、低電力モードによる累積点灯時間とを、別々に記憶しておき、それぞれの点灯モードにおける累積点灯時間を考慮して、劣化の度合いを割り出すことで、より適切な立ち上げシーケンスを設定することができる。
【０１０９】
また、上記説明した実施形態では、移行期間Ｐが、移行期間Ｐａから移行期間Ｐｄまでの４つの期間を有する場合について説明したが、これに限られない。本実施形態においては、移行期間Ｐが、２つ以上、３つ以下の期間を有していてもよいし、５つ以上の期間を有していてもよい。
【０１１０】
また、上記説明した実施形態では、移行期間Ｐにおいて、移行期間毎に段階的に駆動電流Ｉの電流値が増大していくような構成としたが、これに限られない。本実施形態においては、例えば、各移行期間内において、直線的、あるいは曲線的に駆動電流Ｉの電流値が増大し、移行期間毎に電流値の電流勾配が異なっているような構成であってもよい。また、本実施形態においては、移行期間Ｐ全体を通して、一定の電流勾配で、駆動電流Ｉの電流値が増大していくような構成であってもよい。
【０１１１】
また、上記説明した実施形態においては、本発明の一つの態様として、放電灯点灯装置を備えた光源装置、及びその光源装置を備えたプロジェクターを示したが、これに限られない。本発明の放電灯点灯装置が適用される機器は、特に限定されない。
【実施例】
【０１１２】
本実施例においては、比較例との比較によって、上述した本実施形態の効果について検証を行った。
本実施例においては、放電灯として、定格２８０Ｗの超高圧水銀ランプを用いた。本実施例においては、劣化情報として、累積点灯時間を用いた。本実施例においては、放電灯の累積点灯時間に応じて、初期シーケンス、第２期シーケンス、第３期シーケンスの３段階に、点灯起動時の立ち上げシーケンスが切り替わるように設定した。具体的には、累積点灯時間が１０００時間より少ない場合には、初期シーケンス、累積点灯時間が１０００時間以上で、２０００時間より短い場合には、第２期シーケンス、累積点灯時間が２０００時間以上である場合には、第３期シーケンスとなるように設定した。各シーケンス共に、移行期間は、４つの移行期間Ｐａ，Ｐｂ，Ｐｃ，Ｐｄを含むものとした。
【０１１３】
初期シーケンスにおいては、移行期間Ｐａの駆動電流は、周波数が６０ｋＨｚ、電流値が２Ａ、移行期間Ｐｂの駆動電流は、周波数が１ｋＨｚ、電流値が２．５Ａ、移行期間Ｐｃの駆動電流は、周波数が１ｋＨｚ、電流値が３Ａ、移行期間Ｐｄの駆動電流は、周波数が２８０Ｈｚ、電流値が４Ａとなるように設定した。また、初期シーケンスにおいては、移行期間Ｐａの長さが２秒間、移行期間Ｐｂの長さが２秒間、移行期間Ｐｃの長さが３秒間、移行期間Ｐｄの長さが６５秒間となるように設定した。
【０１１４】
第２期シーケンスは、初期シーケンスに対して、移行期間Ｐａの期間の長さが３秒である点と、移行期間Ｐｂの期間の長さが５秒である点とにおいて異なる。
第３期シーケンスは、初期シーケンスに対して、移行期間Ｐａの期間の長さが４秒である点と、移行期間Ｐｂの期間の長さが７秒である点とにおいて異なる。
【０１１５】
比較例は、放電灯の累積点灯時間によらず、常に初期シーケンスで放電灯が点灯されるように設定した。
【０１１６】
実施例及び比較例の放電灯をそれぞれ４０００時間点灯させ、放電灯の管内壁における放電痕の有無について観察した。放電痕とは、電極と管内壁との間で放電が生じた際に、放電のエネルギーが大きいために生じた痕である。
また、実施例及び比較例の放電灯をそれぞれ４０００時間点灯させた際の、放電灯の平均照度維持率（％）について計測した。平均照度維持率は、放電灯の初期状態における平均照度に対する、放電灯を４０００時間点灯させたときの平均照度の割合とした。平均照度維持率は、すなわち、放電灯の寿命に相当する。観察及び計測した結果を表１に示す。
【０１１７】
【表１】
2015106478.tif 000003
【０１１８】
表１から、比較例では、放電灯の管内壁に放電痕が生じていたのに対して、実施例では、放電痕が生じていなかったことが確認できた。このことから、本実施例においては、放電灯が劣化した場合においても、放電状態が不安定な段階で電流を増加させてしまうことを抑制でき、放電灯の損傷を抑制できることが確かめられた。
【０１１９】
また、比較例では、平均照度維持率が大幅に低下しているのに対して、実施例では、平均照度維持率の低下が抑制されていることが確認できた。このことから、本実施例によれば、放電灯の寿命を十分に向上できることが確かめられた。
【符号の説明】
【０１２０】
１０…放電灯点灯装置（放電灯駆動装置）、４０…制御部、４４…記憶部、９０…放電灯、２００…光源装置、２３０…放電灯駆動部、３３０Ｒ，３３０Ｇ，３３０Ｂ…液晶ライトバルブ（光変調素子）、３５０…投射光学系、５００…プロジェクター、Ｉ…駆動電流、Ｐ，Ｐａ，Ｐｂ，Ｐｃ，Ｐｄ…移行期間、ＴＥ，ＴＳ…時点
【図１】
2015106478.tif 000004
【図２】
2015106478.tif 000005
【図３】
2015106478.tif 000006
【図４】
2015106478.tif 000007
【図５】
2015106478.tif 000008
【図６】
2015106478.tif 000009
【図７】
2015106478.tif 000010
【図８】
2015106478.tif 000011
【図９】
2015106478.tif 000012